(57)【要約】【課題】電気機器が正常に制御されたか否かを把握する。【解決手段】本発明の一態様にかかる電気機器制御システムは、電力変位パターンを、制御内容を特定する制御情報に対応付けて記憶する電力変位パターン記憶テーブルと、通信端末５と、通信端末５から送信された制御要求に基づいて電気機器１−１〜ｎを制御する電気機器制御装置３と、を有し、通信端末５は、電気機器制御装置３が制御要求に基づいて電気機器１−１〜ｎを制御した際に当該電気機器１−１〜ｎで実際に発生した電力変位パターンと、制御内容に対応する制御情報に対応付けられて電力変位パターン記憶テーブルに記憶されている電力変位パターンと、を照合した照合結果を取得する。【選択図】図１
2016140031.tif 000002
【特許請求の範囲】
【請求項１】
所定の制御内容で電気機器を制御した際に当該電気機器で発生した消費電力量の変位パターンである電力変位パターンを、前記制御内容を特定する制御情報に対応付けて記憶する電力変位パターン記憶テーブルと、
前記電気機器を制御するための制御要求を送信する通信端末と、
前記通信端末から送信された制御要求に基づいて前記電気機器を制御する電気機器制御装置と、を有し、
前記通信端末は、
前記電気機器制御装置が前記制御要求に基づいて前記電気機器を制御した際に当該電気機器で実際に発生した電力変位パターンと、前記制御内容に対応する制御情報に対応付けられて前記電力変位パターン記憶テーブルに記憶されている電力変位パターンと、を照合した照合結果を取得する、ことを特徴とする電気機器制御システム。
【請求項２】
前記電気機器制御システムは、
前記電力変位パターン記憶テーブルを有する電力記憶装置と、
前記電気機器で発生した消費電力量を測定する電力測定装置と、を有して構成し、
前記電力記憶装置は、
前記電力測定装置で測定した消費電力量の情報を基に、前記電気機器制御装置が前記制御要求に基づいて前記電気機器を制御した際に当該電気機器で実際に発生した電力変位パターンを取得し、該取得した電力変位パターンと、前記制御内容に対応する制御情報に対応付けられて前記電力変位パターン記憶テーブルに記憶されている電力変位パターンと、を照合し、その照合結果を前記通信端末に送信し、
前記通信端末は、
前記電力記憶装置から送信された照合結果を取得する、ことを特徴とする請求項１記載の電気機器制御システム。
【請求項３】
前記通信端末は、
前記電気機器制御装置が前記制御要求に基づいて前記電気機器を制御する際に用いる所定の制御内容に対応する信号コードを前記電気機器制御装置に登録させ、
前記電気機器制御装置は、
前記通信端末から送信された制御要求を受信した際に、当該制御要求の制御内容に対応する信号コードを用いて前記電気機器を制御し、
前記電気機器制御装置は、
前記信号コードを前記電気機器制御装置に登録した際に、前記信号コードを発信し、前記信号コードに対応する制御を前記電気機器に開始させ、
前記電力記憶装置は、
前記電力測定装置で測定した消費電力量の情報を基に、前記電気機器制御装置が前記信号コードに対応する制御を前記電気機器に開始させた際に当該電気機器で発生した電力変位パターンを取得し、該取得した電力変位パターンを、前記制御内容を特定する制御情報に対応付けて前記電力変位パターン記憶テーブルに記憶する、ことを特徴とする請求項２記載の電気機器制御システム。
【請求項４】
前記電力記憶装置は、
各種の電気機器の制御内容と、前記制御内容に対応する信号コードと、前記制御内容で前記電気機器を制御した際に当該電気機器で発生した消費電力量の変位パターンである電力変位パターンと、が対応付けられた設定情報を記憶する設定情報記憶テーブルを有し、
前記通信端末は、
前記電力記憶装置にアクセスし、前記設定情報記憶テーブルに記憶されている設定情報の中から前記電気機器制御装置に登録する信号コードに対応する制御内容を選択し、該選択した制御内容を通信端末に登録し、
前記電気機器制御装置は、
前記設定情報記憶テーブルから前記通信端末により選択された制御内容に対応する信号コードを前記電気機器制御装置に登録し、
前記電気機器制御装置は、
前記通信端末から送信された制御要求を受信した際に、当該制御要求の制御内容に対応する信号コードを用いて前記電気機器を制御し、
前記電力記憶装置は、
前記設定情報記憶テーブルから前記通信端末により選択された制御内容に対応する電力変位パターンを、前記制御内容を特定する制御情報に対応付けて前記電力変位パターン記憶テーブルに記憶する、ことを特徴とする請求項２記載の電気機器制御システム。
【請求項５】
前記電気機器制御システムは、
電力記憶装置と、
前記電気機器で発生した消費電力量を測定する電力測定装置と、を有して構成し、
前記通信端末は、前記電力変位パターン記憶テーブルを有しており、
前記電力記憶装置は、
前記電力測定装置で測定した消費電力量の情報を基に、前記電気機器制御装置が前記制御要求に基づいて前記電気機器を制御した際に当該電気機器で実際に発生した電力変位パターンを取得し、該取得した電力変位パターンを前記通信端末に送信し、
前記通信端末は、
前記電力記憶装置から送信された電力変位パターンを取得し、該取得した電力変位パターンと、前記制御内容に対応する制御情報に対応付けられて前記電力変位パターン記憶テーブルに記憶されている電力変位パターンと、を照合し、照合結果を取得する、ことを特徴とする請求項１記載の電気機器制御システム。
【請求項６】
前記通信端末は、
前記電気機器制御装置が前記制御要求に基づいて前記電気機器を制御する際に用いる所定の制御内容に対応する信号コードを前記電気機器制御装置に登録させ、
前記電気機器制御装置は、
前記通信端末から送信された制御要求を受信した際に、当該制御要求の制御内容に対応する信号コードを用いて前記電気機器を制御し、
前記電気機器制御装置は、
前記信号コードを前記電気機器制御装置に登録した際に、前記信号コードを発信し、前記信号コードに対応する制御を前記電気機器に開始させ、
前記電力記憶装置は、
前記電力測定装置で測定した消費電力量の情報を基に、前記電気機器制御装置が前記信号コードに対応する制御を前記電気機器に開始させた際に当該電気機器で発生した電力変位パターンを取得し、該取得した電力変位パターンを前記通信端末に送信し、
前記通信端末は、
前記電力記憶装置から送信された電力変位パターンを取得し、該取得した電力変位パターンを前記制御内容を特定する制御情報に対応付けて前記電力変位パターン記憶テーブルに記憶する、ことを特徴とする請求項５記載の電気機器制御システム。
【請求項７】
前記電力記憶装置は、
各種の電気機器の制御内容と、前記制御内容に対応する信号コードと、前記制御内容で前記電気機器を制御した際に当該電気機器で発生した消費電力量の変位パターンである電力変位パターンと、が対応付けられた設定情報を記憶する設定情報記憶テーブルを有し、
前記通信端末は、
前記電力記憶装置にアクセスし、前記設定情報記憶テーブルに記憶されている設定情報の中から前記電気機器制御装置に登録する信号コードに対応する制御内容を選択し、該選択した制御内容を前記通信端末に登録し、該選択した制御内容に対応する電力変位パターンを、前記制御内容を特定する制御情報に対応付けて前記電力変位パターン記憶テーブルに記憶し、
前記電気機器制御装置は、
前記設定情報記憶テーブルから前記通信端末により選択された制御内容に対応する信号コードを前記電気機器制御装置に登録し、
前記電気機器制御装置は、
前記通信端末から送信された制御要求を受信した際に、当該制御要求の制御内容に対応する信号コードを用いて前記電気機器を制御する、ことを特徴とする請求項５記載の電気機器制御システム。
【請求項８】
前記電気機器制御システムは、
電力記憶装置と、
前記電気機器で発生した消費電力量を測定する電力測定装置と、を有して構成し、
前記電気機器制御装置は、前記電力変位パターン記憶テーブルを有しており、
前記電力記憶装置は、
前記電力測定装置で測定した消費電力量の情報を基に、前記電気機器制御装置が前記制御要求に基づいて前記電気機器を制御した際に当該電気機器で実際に発生した電力変位パターンを取得し、該取得した電力変位パターンを前記電気機器制御装置に送信し、
前記電気機器制御装置は、
前記電力記憶装置から送信された電力変位パターンを取得し、該取得した電力変位パターンと、前記制御内容に対応する制御情報に対応付けられて前記電力変位パターン記憶テーブルに記憶されている電力変位パターンと、を照合し、その照合結果を前記通信端末に送信し、
前記通信端末は、
前記電力記憶装置から送信された照合結果を取得する、ことを特徴とする請求項１記載の電気機器制御システム。
【請求項９】
前記電気機器制御装置は、
前記電気機器制御装置が前記制御要求に基づいて前記電気機器を制御する際に用いる所定の制御内容に対応する信号コードを前記電気機器制御装置に登録し、
前記通信端末から送信された制御要求を受信した際に、当該制御要求の制御内容に対応する信号コードを用いて前記電気機器を制御し、
前記電気機器制御装置は、
前記信号コードを前記電気機器制御装置に登録した際に、前記信号コードを発信し、前記信号コードに対応する制御を前記電気機器に開始させ、
前記電力記憶装置は、
前記電力測定装置で測定した消費電力量の情報を基に、前記電気機器制御装置が前記信号コードに対応する制御を前記電気機器に開始させた際に当該電気機器で発生した電力変位パターンを取得し、該取得した電力変位パターンを前記電気機器制御装置に送信し、
前記電気機器制御装置は、
前記電力記憶装置から送信された電力変位パターンを取得し、該取得した電力変位パターンを、前記制御内容を特定する制御情報に対応付けて前記電力変位パターン記憶テーブルに記憶する、ことを特徴とする請求項８記載の電気機器制御システム。
【請求項１０】
前記電力記憶装置は、
各種の電気機器の制御内容と、前記制御内容に対応する信号コードと、前記制御内容で前記電気機器を制御した際に当該電気機器で発生した消費電力量の変位パターンである電力変位パターンと、が対応付けられた設定情報を記憶する設定情報記憶テーブルを有し、
前記通信端末は、
前記電力記憶装置にアクセスし、前記設定情報記憶テーブルに記憶されている設定情報の中から前記電気機器制御装置に登録する信号コードに対応する制御内容を選択し、該選択した制御内容を前記通信端末に登録し、
前記電気機器制御装置は、
前記設定情報記憶テーブルから前記通信端末により選択された制御内容に対応する信号コードを前記電気機器制御装置に登録し、前記制御内容に対応する電力変位パターンを、前記制御内容を特定する制御情報に対応付けて前記電力変位パターン記憶テーブルに記憶し、
前記電気機器制御装置は、
前記通信端末から送信された制御要求を受信した際に、当該制御要求の制御内容に対応する信号コードを用いて前記電気機器を制御する、ことを特徴とする請求項８記載の電気機器制御システム。
【請求項１１】
前記電力変位パターン記憶テーブルは、前記電力変位パターンのログを、前記制御内容を特定する制御情報に対応付けて記憶し、
前記通信端末は、
前記電気機器制御装置が前記制御要求に基づいて前記電気機器を制御した際に当該電気機器で実際に発生した電力変位パターンと、前記制御内容に対応する制御情報に対応付けられて前記電力変位パターン記憶テーブルに記憶されている電力変位パターンのログから算出した電力変位パターンと、を照合した照合結果を取得する、ことを特徴とする請求項１から１０の何れか１項に記載の電気機器制御システム。
【発明の詳細な説明】
【技術分野】
【０００１】
本発明は、電気機器を制御する技術に関する。
【背景技術】
【０００２】
近年、宅内のテレビ、ビデオ、照明器具、エアコンなどの電気機器を宅外から遠隔制御することが可能なシステムがある。例えば、宅内に赤外線発信機を設置し、宅外から通信端末などを用いて赤外線発信機を制御し、赤外線発信機から赤外線を発信させ、赤外線で制御対象の電気機器を制御することが可能なシステムがある。
【０００３】
上述したシステムでは、一方向の信号である赤外線を用いて制御対象の電気機器を制御するため、制御結果を利用者にフィードバックすることができず、電気機器が正常に制御されたか否かを利用者が把握することができなかった。
【０００４】
このため、電気機器を制御した際に当該電気機器が正常に制御されたか否かを把握することが可能な仕組みの構築が必要となる。
【０００５】
なお、本発明より先に出願された技術文献として、特許文献１（特開２００８−２８３２９８号公報）には、家電機器の電源ＯＮ／ＯＦＦによる環境の変化を検知するセンサーを設け、そのセンサーの出力に基づいて家電機器の現在の電源状態を判断するようにした技術が開示されている。
【先行技術文献】
【特許文献】
【０００６】
【特許文献１】特開２００８−２８３２９８号公報
【発明の概要】
【発明が解決しようとする課題】
【０００７】
特許文献１では、家電機器の電源ＯＮ／ＯＦＦによる環境の変化を検知するセンサーとして、照度センサー、温度センサー、騒音センサーを用いている。しかし、上述した各種センサーは、家電機器の電源ＯＮ／ＯＦＦによる環境の変化以外の外部環境の変化も検知することになるため、家電機器の現在の電源状態を誤判断してしまう場合がある。
【０００８】
本発明の目的は、電気機器を制御した際に当該電気機器が正常に制御されたか否かを把握することである。
【課題を解決するための手段】
【０００９】
本発明にかかる電気機器制御システムは、
所定の制御内容で電気機器を制御した際に当該電気機器で発生した消費電力量の変位パターンである電力変位パターンを、前記制御内容を特定する制御情報に対応付けて記憶する電力変位パターン記憶テーブルと、
前記電気機器を制御するための制御要求を送信する通信端末と、
前記通信端末から送信された制御要求に基づいて前記電気機器を制御する電気機器制御装置と、を有し、
前記通信端末は、
前記電気機器制御装置が前記制御要求に基づいて前記電気機器を制御した際に当該電気機器で実際に発生した電力変位パターンと、前記制御内容に対応する制御情報に対応付けられて前記電力変位パターン記憶テーブルに記憶されている電力変位パターンと、を照合した照合結果を取得する、ことを特徴とする。
【発明の効果】
【００１０】
本発明によれば、電気機器を制御した際に当該電気機器が正常に制御されたか否かを把握することができる。
【図面の簡単な説明】
【００１１】
【図１】本実施形態の電気機器制御システムのシステム構成例を示す図である。
【図２】電気機器制御装置３の構成例を示す図である。
【図３】電力記憶装置４の構成例を示す図である。
【図４】使用電力測定器２の構成例を示す図である。
【図５】通信端末５の構成例を示す図である。
【図６】制御信号記憶テーブル３４１の構成例を示す図である。
【図７】電力情報記憶テーブル４２１の構成例を示す図である。
【図８】利用者記憶テーブル４２２の構成例を示す図である。
【図９】電力変位パターン記憶テーブル４２３の構成例を示す図である。
【図１０】制御内容記憶テーブル５２１の構成例を示す図である。
【図１１】電気機器制御システムの一連の処理動作例を示す第１の図である。
【図１２】電気機器制御システムの一連の処理動作例を示す第２の図である。
【図１３】通信端末５の操作画面例を示す第１の図である。
【図１４】電力変位パターン例を示す図である。
【図１５】通信端末５の操作画面例を示す第２の図である。
【図１６】通信端末５の操作画面例を示す第３の図である。
【図１７】電気機器制御システムの一連の処理動作例の変形例を示す図である。
【図１８】第２の実施形態の通信端末５の構成例を示す図である。
【図１９】第２の実施形態の電気機器制御システムの一連の処理動作例を示す第１の図である。
【図２０】第２の実施形態の電気機器制御システムの一連の処理動作例を示す第２の図である。
【図２１】第２の実施形態の電気機器制御システムの一連の処理動作例の変形例を示す図である。
【図２２】制御内容・電力変位パターン記憶テーブル５２３の構成例を示す図である。
【図２３】第３の実施形態の電気機器制御装置３の構成例を示す図である。
【図２４】第３の実施形態の電気機器制御装置３の構成例を示す図である。
【図２５】第３の実施形態の電気機器制御システムの一連の処理動作例を示す第１の図である。
【図２６】第３の実施形態の電気機器制御システムの一連の処理動作例を示す第２の図である。
【図２７】制御信号・電力変位パターン記憶テーブル３４３の構成例を示す図である。
【図２８】設定情報記憶テーブル４２４の構成例を示す図である。
【図２９】第４の実施形態の電力記憶装置４の構成例を示す図である。
【図３０】第４の実施形態の電気機器制御システムの一連の処理動作例を示す第１の図である。
【図３１】第４の実施形態の電気機器制御システムの一連の処理動作例を示す第２の図である。
【図３２】第４の実施形態の電気機器制御システムの一連の処理動作例を示す第３の図である。
【図３３】第４の実施形態の電気機器制御システムの一連の処理動作例を示す第４の図である。
【発明を実施するための形態】
【００１２】
（本発明の一態様にかかる電気機器制御システムの概要）
まず、図１を参照しながら、本発明の一態様にかかる電気機器制御システムの概要について説明する。図１は、本発明の一態様にかかる電気機器制御システムのシステム構成例を示す。
【００１３】
本発明の一態様にかかる電気機器制御システムは、電力変位パターン記憶テーブルと、通信端末５と、電気機器制御装置３と、を有して構成する。電力変位パターン記憶テーブルは、例えば、図１に示す電力記憶装置４に搭載したり、通信端末５に搭載したり、電気機器制御装置３に搭載したりする。
【００１４】
電力変位パターン記憶テーブルは、図９に示すように、所定の制御内容で電気機器１−１〜ｎ（ｎは、任意の数を意味する）を制御した際に当該電気機器１−１〜ｎで発生した消費電力量の変位パターンである電力変位パターンを、その制御内容を特定する制御情報に対応付けて記憶する。図９では、制御内容を特定する制御情報として利用者識別子、制御識別子を用いている。
【００１５】
通信端末５は、電気機器１−１〜ｎを制御するための制御要求を電気機器制御装置３に送信する。
【００１６】
電気機器制御装置３は、通信端末５から送信された制御要求に基づいて電気機器１−１〜ｎを制御する。
【００１７】
本実施形態の通信端末５は、電気機器制御装置３が通信端末５から送信された制御要求に基づいて電気機器１−１〜ｎを制御した際に当該電気機器１−１〜ｎで実際に発生した電力変位パターンと、制御内容に対応する制御情報に対応付けられて電力変位パターン記憶テーブルに記憶されている電力変位パターンと、を照合した照合結果を取得する。このため、本発明の一態様にかかる電気機器制御システムは、通信端末５を用いて電気機器１−１〜ｎを制御した際に当該電気機器１−１〜ｎが正常に制御されたか否かを通信端末５で把握することができる。以下、添付図面を参照しながら、本発明の一態様にかかる電気機器制御システムについて詳細に説明する。
【００１８】
（第１の実施形態）
＜電気機器制御システムのシステム構成例＞
まず、図１を参照しながら、本実施形態の電気機器制御システムのシステム構成例について説明する。図１は、本実施形態の電気機器制御システムのシステム構成例を示す図である。
【００１９】
本実施形態の電気機器制御システムは、複数の電気機器１−１〜ｎ（ｎは、任意の数を意味する）、使用電力測定器２、電気機器制御装置３、電力記憶装置４、通信端末５を有して構成する。
【００２０】
本実施形態の電気機器制御システムは、使用電力測定器２、電気機器制御装置３、電力記憶装置４、通信端末５がネットワークＮＷを介して接続している。ネットワークＮＷは、有線、無線を問わずあらゆる通信形態が適用可能である。
【００２１】
電気機器１−１〜ｎは、テレビ、エアコン、照明器具等の機器であり、各々の電気機器１−１〜ｎに対応したリモコン１０−１〜ｎを用いて制御することが可能な機器である。リモコン１０−１〜ｎは、赤外線等の一方向の制御信号を用いて電気機器１−１〜ｎを制御することが可能な装置であり、電気機器１−１〜ｎは、リモコン１０−１〜ｎから制御信号を受信した場合に、その制御信号に基づいた制御を行う。電気機器１−１〜ｎは、電力会社等から供給される電力を動力源としている。
【００２２】
使用電力測定器２は、電気機器１−１〜ｎに電力を供給する電力供給経路に接続された機器であり、電気機器１−１〜ｎの消費電力量を測定することが可能な機器である。使用電力測定器２は、ネットワークを介してホームゲートウェイなどに接続し、宅外のネットワークＮＷに接続している。また、使用電力測定器２は、電力・ガス会社とネットワークを介して接続してもよい。
【００２３】
電気機器制御装置３は、リモコン１０−１〜ｎと同様な操作を実現し、電気機器１−１〜ｎを制御することが可能な装置である。電気機器制御装置３は、リモコン１０−１〜ｎと同様な制御信号を制御対象の電気機器１−１〜ｎに送信し、制御対象の電気機器１−１〜ｎを制御する。電気機器１−１〜ｎは、電気機器制御装置３から制御信号を受信した場合に、その制御信号に基づいた制御を行う。
【００２４】
電力記憶装置４は、使用電力測定器２で測定した電力量の情報である電力情報を記憶する。電力記憶装置４は、クラウド上のサーバ装置、パソコン、専用端末などがあげられる。
【００２５】
通信端末５は、電気機器制御装置３を介して電気機器１−１〜ｎを遠隔制御する。電気機器１−１〜ｎを遠隔制御することが可能な制御内容としては、リモコン１０−１〜ｎで制御することが可能な制御内容となる。通信端末５は、スマートフォン、タブレット、パソコンなどがあげられる。
【００２６】
＜電気機器制御システムを構成する各装置の構成例＞
次に、図２〜図５を参照しながら、図１に示す電気機器制御システムを構成する各装置の構成例について説明する。図２は、電気機器制御装置３の構成例を示し、図３は、電力記憶装置４の構成例を示す。図４は、使用電力測定器２の構成例を示し、図５は、通信端末５の構成例を示す。
【００２７】
＜電気機器制御装置３の構成例＞
本実施形態の電気機器制御装置３は、図２に示すように、制御部３１、赤外線受信部３２、赤外線送信部３３、記憶部３４、通信部３５を有して構成する。
【００２８】
制御部３１は、電気機器制御装置３を統括して制御する。赤外線受信部３２は、赤外線を受信する。本実施形態の赤外線受信部３２は、リモコン１０−１〜ｎから発信された赤外線を受信する。赤外線送信部３３は、電気機器１−１〜ｎに向けて赤外線を送信する。本実施形態の電気機器制御装置３は、赤外線送信部３３から発信される赤外線を用いて電気機器１−１〜ｎを制御する。記憶部３４は、各種情報を記憶する。記憶部３４は、制御信号記憶テーブル３４１を有して構成する。制御信号記憶テーブル３４１は、電気機器１−１〜ｎを制御するための信号コードを記憶するものであり、図６に示すように、利用者識別子と制御識別子と信号コードとを対応付けて記憶する。利用者識別子は、通信端末５の利用者を一意に識別する識別子である。制御識別子は、後述する通信端末５から選択される番号ボタンを一意に識別する識別子である。信号コードは、電気機器１−１〜ｎを制御する際の制御内容を一意に特定するコードであり、リモコン１０−１〜ｎから発信される赤外線に含まれる信号コードと同一の情報である。本実施形態の電気機器制御装置３は、制御信号記憶テーブル３４１に、利用者識別子と制御識別子と信号コードとを対応付けて記憶することで、その信号コードを用いて電気機器１−１〜ｎを制御することができる。通信部３５は、ネットワークＮＷを介して各種情報を送受信する。
【００２９】
＜電力記憶装置４の構成例＞
本実施形態の電力記憶装置４は、図３に示すように、制御部４１、記憶部４２、通信部４３を有して構成する。
【００３０】
制御部４１は、電力記憶装置４を統括して制御する。記憶部４２は、各種情報を記憶する。記憶部４２は、電力情報記憶テーブル４２１、利用者記憶テーブル４２２、電力変位パターン記憶テーブル４２３を有している。電力情報記憶テーブル４２１は、使用電力測定器２から取得した電力情報を記憶するものであり、図７に示すように、使用電力測定器識別子と電力情報とを対応付けて記憶する。使用電力測定器識別子は、使用電力測定器２を一意に識別する識別子である。電力情報は、使用電力測定器２から取得した電力情報である。電力情報は、電気機器１−１〜ｎの消費電力量と時間とを対応付けた情報であり、どの程度の電力量がいつ消費されたのかを把握することが可能となる情報である。利用者記憶テーブル４２２は、本システムを利用する利用者を記憶するものであり、図８に示すように、利用者識別子と使用電力測定器識別子とを対応付けて記憶する。利用者識別子は、通信端末５の利用者を一意に識別する識別子である。使用電力測定器識別子は、使用電力測定器２を一意に識別する識別子である。この利用者記憶テーブル４２２を参照することで、どの利用者がどの使用電力測定器を使用しているかを把握することができる。電力変位パターン記憶テーブル４２３は、電気機器１−１〜ｎを制御した際に当該電気機器１−１〜ｎで発生する消費電力量の変位パターンである電力変位パターンを記憶するものであり、図９に示すように、利用者識別子と制御識別子と電力変位パターンとを対応付けて記憶する。この電力変位パターン記憶テーブル４２３を参照することで、所定の制御識別子で制御対象の電気機器１−１〜ｎを制御した際に、当該電気機器１−１〜ｎで発生する電力変位パターンを特定することができる。電力変位パターン記憶テーブル４２３に記憶する電力変位パターンは、電気機器１−１〜ｎが正常に制御したか否かを判断する指標となる情報であるため、精度の高い電力変位パターンを取得して電力変位パターン記憶テーブル４２３に記憶することが好ましい。通信部４３は、ネットワークＮＷを介して各種情報を送受信する。
【００３１】
＜使用電力測定器２の構成例＞
本実施形態の使用電力測定器２は、図４に示すように、制御部２１、電力測定部２２、通信部２３を有して構成する。
【００３２】
制御部２１は、使用電力測定器２を統括して制御する。電力測定部２２は、電気機器１−１〜ｎで発生した消費電力量を測定する。通信部２３は、ネットワークＮＷを介して各種情報を送受信する。
【００３３】
＜通信端末５の構成例＞
本実施形態の通信端末５は、図５に示すように、制御部５１、記憶部５２、表示部５３、入力部５４、通信部５５を有して構成する。
【００３４】
制御部５１は、通信端末５を統括して制御する。記憶部５２は、各種情報を記憶する。記憶部５２は、制御内容記憶テーブル５２１を有している。制御内容記憶テーブル５２１は、電気機器１−１〜ｎを遠隔制御する際の制御内容を記憶するものであり、図１０に示すように、利用者識別子と番号ボタンと制御識別子と制御内容とを対応付けて記憶する。利用者識別子は、通信端末５の利用者を一意に識別する識別子である。番号ボタンは、電気機器１−１〜ｎを遠隔制御する際の制御内容を記憶する番号を特定するボタンである。番号ボタンは、例えば、０〜９の数字で構成する。但し、番号ボタンは、番号に限定せず、文字や記号で構成しても良い。制御識別子は、番号ボタンを一意に識別する識別子である。制御内容は、電気機器１−１〜ｎを遠隔制御する際の制御内容を特定するための内容であり、リモコン１０−１〜ｎの制御内容を記憶する。制御内容は、制御対象の電気機器名や操作名等を記憶する。例えば、「テレビ電源ＯＮ」、「照明器具ＯＮしてからテレビ電源  ＯＮ」等の制御内容を記憶する。制御内容は、利用者が通信端末５を操作して任意に登録することが可能である。表示部５３は、各種情報を表示する。入力部５４は、各種情報を入力する。通信部５５は、ネットワークＮＷを介して各種情報を送受信する。本実施形態の通信端末５は、電気機器制御装置３を介して電気機器１−１〜ｎを遠隔制御することが可能な電気機器制御アプリがインストールされており、その電気機器制御アプリを起動して、電気機器１−１〜ｎを遠隔制御するための各種処理を行うことになる。
【００３５】
＜電気機器制御システムの処理動作例＞
次に、図１１〜図１２を参照しながら、本実施形態の電気機器制御システムの処理動作例について説明する。図１１は、電力変位パターンを電力記憶装置４に記憶する場合の処理動作例を示す。図１２は、通信端末５を用いて電気機器１−１〜ｎを遠隔制御する場合の処理動作例を示す。
【００３６】
＜電力変位パターンを電力記憶装置４に記憶する場合の処理動作例＞
まず、電気機器１−１〜ｎで所定の制御を行った際に当該電気機器１−１〜ｎで発生する消費電力量の変位パターンである電力変位パターンを電力記憶装置４に記憶する処理動作例について説明する。
【００３７】
使用電力測定器２の制御部２１は、使用電力測定器２と接続された電気機器１−１〜ｎで発生した消費電力量の情報である電力情報を電力記憶装置４に送信する（ステップＳ１）。電力情報は、電気機器１−１〜ｎで発生した消費電力量と時間とを対応付けた情報である。これにより、当該電力情報を基に、どの程度の電力量がいつ消費されたのかを把握することが可能となる。電気機器１−１〜ｎで発生した消費電力量は、電力測定部２２が測定することで取得する。使用電力測定器２の制御部２１は、使用電力測定器２を識別する識別子である使用電力測定器識別子と共に電力情報を通信部２３から電力記憶装置４に送信する。
【００３８】
電力記憶装置４の制御部４１は、通信部４３が使用電力測定器２から電力情報を受信すると、その電力情報を使用電力測定器識別子に対応付けて記憶部４２の電力情報記憶テーブル４２１に記憶する（ステップＳ２）。
【００３９】
これにより、電力記憶装置４は、使用電力測定器２と接続された各電気機器１−１〜ｎで発生した消費電力量の情報である電力情報を使用電力測定器２の使用電力測定器識別子に対応付けて図７に示すように電力情報記憶テーブル４２１に記憶して管理することができる。
【００４０】
本実施形態の電気機器制御システムは、電気機器１−１〜ｎで発生した消費電力量の情報である電力情報を電力情報記憶テーブル４２１に記憶して管理することが可能であれば電力情報の取得方法は特に限定せず、任意の方法で電力情報を取得することが可能である。例えば、使用電力測定器２が既定のタイミングで定期的に電力情報を電力記憶装置４に送信し、電力記憶装置４がその電力情報を定期的に取得して電力情報記憶テーブル４２１に記憶するようにしても良い。また、使用電力測定器２が電力情報を電力記憶装置４に常時送信し、電力記憶装置４がその電力情報を常時取得して電力情報記憶テーブル４２１に記憶するようにしても良い。また、電力記憶装置４が使用電力測定器２にアクセスし、当該使用電力測定器２から電力情報を定期的または常時取得して電力情報記憶テーブル４２１に記憶するようにしても良い。
【００４１】
電気機器１−１〜ｎを遠隔制御する際に使用する信号コードを電気機器制御装置３に登録する場合は、通信端末５にインストールされた電気機器制御アプリを起動する（ステップＳ３）。電気機器制御アプリが起動すると、通信端末５の制御部５１は、図１３に示すように、制御記憶ボタン５６と、番号ボタン５７と、で構成する所定の操作画面を表示部５３に表示する。制御記憶ボタン５６は、電気機器１−１〜ｎを遠隔制御する際の制御内容を記憶する際に使用するボタンである。番号ボタン５７は、電気機器１−１〜ｎを遠隔制御する際の制御内容を記憶したい番号を特定するボタンである。番号ボタン５７は、図１３に示すように、０〜９などの数字で構成する。但し、番号ボタン５７は、番号に限定せず、文字や記号で構成しても良い。利用者は、表示部５３に表示された制御記憶ボタン５６と共に、電気機器１−１〜ｎを遠隔制御する際の制御内容を登録したい番号ボタン５７を選択して押下する。これにより、通信端末５の入力部５４は、制御記憶ボタン５６の情報と、押下された番号ボタン５７の情報と、を入力することになる。本実施形態では、番号ボタン「１」を押下した場合について説明する。このため、入力部５４は、制御記憶ボタン５６の情報と、番号ボタン「１」の情報と、を入力することになる。
【００４２】
通信端末５の制御部５１は、制御記憶ボタン５６の情報と番号ボタン「１」の情報とが入力部５４から入力された場合に、電気機器１−１〜ｎを遠隔制御する際に使用する信号コードを電気機器制御装置３に登録するための処理を行うと判断し、番号ボタン「１」の制御識別子「１」と、利用者識別子「Ｕ００１」と、を含む制御記憶要求を通信部５５から電気機器制御装置３に送信する（ステップＳ４）。利用者識別子「Ｕ００１」は、通信端末５の利用者を一意に識別するための識別子である。この時、制御部５１は、例えば「電気機器制御装置に対して登録対象の電気機器のリモコンを向け、そのリモコンのボタンを押してください」のような旨のメッセージを表示部５３に表示する。これにより、通信端末５は、通信端末５の利用者に対して電気機器のリモコンの信号コードの登録操作を促すことができる。
【００４３】
電気機制御装置３の制御部３１は、制御記憶要求を通信部３５が受信すると、赤外線受信部３２を受信待機状態にし、赤外線を受信可能な状態にする（ステップＳ５）。この時、制御部３１は、受信待機状態であることが利用者にわかるようにすることが好ましい。例えば、ＬＥＤを点灯させたり、受信待機状態である旨の表示を表示部に表示させたりする。
【００４４】
利用者は、登録対象の電気機器１−１〜ｎのリモコン１０−１〜ｎを電気機器制御装置３の赤外線受信部３２の方向に向け、電気機器制御装置３に登録したい信号コードのボタン操作を行う。例えば、電源ＯＮボタンや電源ＯＦＦボタンを押下する。リモコン１０−１〜ｎは、ボタン操作に対応する信号コードを赤外線で発信する（ステップＳ６）。本実施形態では、信号コードを「０００１１」とした場合について説明する。
【００４５】
電気機器制御装置３の制御部３１は、受信待機状態になってから第１の既定時間（例えば、５秒）以内に、赤外線受信部３２が赤外線を受信すると、その受信した赤外線に含まれる信号コード「０００１１」を、制御記憶要求に含まれる利用者識別子「Ｕ００１」、制御識別子「１」に対応付けて図６に示す制御信号記憶テーブル３４１に記憶する（ステップＳ７）。これにより、制御信号記憶テーブル３４１には、図６に示すように、利用者識別子「Ｕ００１」と制御識別子「１」と信号コード「０００１１」とが対応付けて記憶されることになる。なお、図６に示す制御信号記憶テーブル３４１は、１つの信号コードを１つの制御識別子に対応付けて記憶している。しかし、複数のリモコンによる複数の制御内容や１つのリモコンによる複数の制御内容により、複数の信号コードを１つの制御識別子に対応付けて制御信号記憶テーブル３４１に記憶するようにすることも可能である。複数の信号コードを１つの制御識別子に対応付けて制御信号記憶テーブル３４１に記憶する場合は、電気機制御装置３に信号コードの入力操作が終了したことを示す入力終了信号を通信端末５から送信するか、電気機制御装置３に信号コードの入力操作が終了したことを入力するボタンを設けることが好ましい。
【００４６】
次に、電気機器制御装置３の制御部３１は、制御識別子「１」に対応する信号コード「０００１１」を含んだ赤外線を赤外線送信部３３から発信する（ステップＳ８）。これにより、制御対象の信号コード「０００１１」を含んだ赤外線を受信した電気機器１−１は、その信号コード「０００１１」に対応する制御を開始することになる（ステップＳ９）。例えば、電気機器１−１は、電源ＯＮの信号コードを含んだ赤外線を受信した場合は、電源ＯＮの制御を行い、電源ＯＦＦの信号コードを含んだ赤外線を受信した場合は、電源ＯＦＦの制御を行うことになる。
【００４７】
次に、電気機器制御装置３の制御部３１は、制御識別子「１」を含む制御記憶完了通知を通信部３５から通信端末５に送信し（ステップＳ１０）、赤外線受信待機状態を終了する。なお、電気機器制御装置３の制御部３１は、第１の既定時間以内に赤外線を受信しなかった場合は、その旨の通知を通信部３５から通信端末５に送信し、赤外線受信待機状態を終了する。
【００４８】
通信端末５の制御部５１は、制御記憶完了通知を通信部５５が受信すると、制御識別子「１」に対応する電力変位パターンの記憶を要求するための電力変位パターン記憶要求を通信部５５から電力記憶装置４に送信する（ステップＳ１１）。この場合、制御部５１は、利用者識別子「Ｕ００１」と制御識別子「１」とを含む電力変位パターン記憶要求を電力記憶装置４に送信する。
【００４９】
電力記憶装置４の制御部４１は、電力変位パターン記憶要求を通信部４３が受信すると、その電力変位パターン記憶要求に含まれる利用者識別子「Ｕ００１」を基に、図８に示す利用者記憶テーブル４２２から利用者識別子「Ｕ００１」に対応する使用電力測定器識別子「Ｓ００１」を特定する。そして、制御部４１は、その特定した使用電力測定器識別子「Ｓ００１」を基に、図７に示す電力情報記憶テーブル４２１から使用電力測定器識別子「Ｓ００１」に対応付けられた電力情報１を読み込み、その読み込んだ電力情報１を基に、既定の期間（例えば、図１４に示すように、電力変位パターン記憶要求を受信した１分前〜受信後３分後までの期間）の電力変位パターン１（例えば、電力変位パターン記憶要求があった前後の電力量の増減と時間との関係）を取得する。そして、制御部４１は、その取得した電力変位パターン１を、電力変位パターン記憶要求に含まれる利用者識別子「Ｕ００１」と制御識別子「１」とに対応付けて図９に示す電力変位パターン記憶テーブル４２３に記憶する（ステップＳ１２）。
【００５０】
これにより、電力記憶装置４は、信号コード「０００１１」を含む赤外線を受信した電気機器１−１がその信号コード「０００１１」に対応する制御を開始した前後の期間に発生する電力変位パターン１を電力変位パターン記憶テーブル４２３に記憶して管理することができる。なお、図１４に示す電力変位パターン１は、折れ線グラフで示しており、縦軸が電力量を示し、横軸が時間を示している。但し、電力変位パターン記憶テーブル４２３に記憶する電力変位パターン１は、数値化して記憶する。なお、図１４に示す電力変位パターンは一例である。
【００５１】
電力記憶装置４の制御部４１は、電力変位パターンを電力変位パターン記憶テーブル４２３に記憶した場合は、電力変位パターン記憶完了通知を通信部４３から通信端末５に送信する（ステップＳ１３）。
【００５２】
通信端末５の制御部５１は、電力変位パターン記憶完了通知を通信部５５が受信した場合に、利用者識別子「Ｕ００１」と番号ボタン「１」と制御識別子「１」と制御内容とを対応付けて制御内容記憶テーブル５２１に記憶する（ステップＳ１４）。制御内容は、利用者が通信端末５を操作して任意に登録する。これにより、電気機器１−１を遠隔制御する際の制御内容を、利用者が押下した番号ボタン「１」と制御識別子「１」とに対応付けて制御内容記憶テーブル５２１に記憶することができる。
【００５３】
本実施形態の電気機器制御システムは、電気機器１−１〜ｎを制御する際に使用するリモコン１０−１〜ｎの信号コードを電気機器制御装置３の制御信号記憶テーブル３４１に登録すると共に、その制御信号記憶テーブル３４１に登録したリモコン１０−１〜ｎの信号コードで電気機器１−１〜ｎを制御した際に当該電気機器１−１〜ｎで発生する電力変位パターンを、その信号コードの制御内容を特定する制御情報である利用者識別子、制御識別子に対応付けて電力記憶装置４の電力変位パターン記憶テーブル４２３に記憶する。これにより、電気機器制御装置３が所定の制御内容に対応する信号コードで電気機器１−１〜ｎを制御した際に当該電気機器１−１〜ｎで発生する電力変位パターンをその所定の制御内容を特定する制御情報である利用者識別子、制御識別子に対応付けて電力変位パターン記憶テーブル４２３に記憶することができる。その結果、電気機器制御装置３が各電気機器１−１〜ｎを制御した際に当該各電気機器１−１〜ｎで発生する各種の電力変位パターンを電力変位パターン記憶テーブル４２３で管理することができる。
【００５４】
＜通信端末５を用いて電気機器１−１〜ｎを遠隔制御する場合の処理動作例＞
次に、通信端末５を用いて電気機器１−１〜ｎを遠隔制御する場合の処理動作例について説明する。
【００５５】
通信端末５を用いて電気機器１−１〜ｎを遠隔制御する場合は、通信端末５にインストールされた電気機器制御アプリを起動する（ステップＡ１）。電気機器制御アプリが起動すると、通信端末５の制御部５１は、図１５に示すように、制御記憶ボタン５６と、番号ボタン５７と、で構成する所定の操作画面を表示部５３に表示する。図１５に示す操作画面は、番号ボタン「１」に対応付けられた制御内容が制御内容記憶テーブル５２１に記憶されているため、番号ボタン「１」に対応付けられた制御内容である「テレビ電源ＯＮ」が操作画面に表示されている。利用者は、操作画面に表示された番号ボタン５７の中から遠隔制御したい制御内容の番号ボタンを選択して押下する。これにより、通信端末５の入力部５４は、押下された番号ボタンの情報を入力することになる。本実施形態では、番号ボタン「１」を押下した場合について説明する。このため、入力部５４は、番号ボタン「１」の情報を入力することになる。
【００５６】
通信端末５の制御部５１は、番号ボタン５７の情報が入力部５４から入力された場合に、電気機器１−１〜ｎを遠隔制御するための処理を行うと判断し、制御内容記憶テーブル５２１を参照し、番号ボタン「１」の制御識別子「１」と利用者識別子「Ｕ００１」とを含む制御要求を通信部５５から電気機器制御装置３に送信する（ステップＡ２）。また、通信端末５の制御部５１は、電気機器１−１〜ｎを遠隔制御した際の制御結果を取得するための制御結果取得要求を通信部５５から電力記憶装置４に送信する（ステップＡ３）。この場合、制御部５１は、制御識別子「１」と利用者識別子「Ｕ００１」とを含む制御結果取得要求を電力記憶装置４に送信する。
【００５７】
電気機器制御装置３の制御部３１は、制御要求を通信部３５が受信すると、制御要求に含まれる利用者識別子「Ｕ００１」と制御識別子「１」とを基に、図６に示す制御信号記憶テーブル３４１から利用者識別子「Ｕ００１」と制御識別子「１」とに対応付けられた信号コード「０００１１」を取得し、その取得した信号コード「０００１１」を含む赤外線を赤外線送信部３３から発信する（ステップＡ４）。これにより、制御対象の信号コード「０００１１」を含む赤外線を受信した電気機器１−１は、その信号コード「０００１１」に対応する制御を開始することになる（ステップＡ５）。
【００５８】
電力記憶装置４の制御部４１は、制御結果取得要求を通信部４３が受信すると、制御結果取得要求に含まれる利用者識別子「Ｕ００１」を基に、図８に示す利用者記憶テーブル４２２から利用者識別子「Ｕ００１」に対応する使用電力測定器識別子「Ｓ００１」を取得する。そして、制御部４１は、その取得した使用電力測定器識別子「Ｓ００１」を基に、図７に示す電力情報記憶テーブル４２１から使用電力測定器識別子「Ｓ００１」に対応付けられた電力情報１を読み込み、その読み込んだ電力情報１を基に、既定の期間（例えば、制御結果取得要求を受信した１分前〜受信後３分後までの期間）の電力変位パターン（例えば、制御結果取得要求があった前後の電力量の増減と時間との関係）を取得する。これにより、電力記憶装置４は、電気機器１−１が遠隔制御された際に当該電気機器１−１で発生する消費電力量の電力変位パターンを取得することができる（ステップＡ６）。次に、電力記憶装置４の制御部４１は、制御結果取得要求に含まれる利用者識別子「Ｕ００１」と制御識別子「１」とを基に、図９に示す電力変位パターン記憶テーブル４２３から利用者識別子「Ｕ００１」と制御識別子「１」とに対応付けられた電力変位パターン１を取得する（ステップＡ７）。そして、電力記憶装置４の制御部４１は、電気機器１−１が遠隔制御された際にステップＡ６で取得した電力変位パターンと、ステップＡ７で電力変位パターン記憶テーブル４２３から取得した電力変位パターン１と、を照合し、双方の電力変位パターンが合致しているか判定する（ステップＡ８）。そして、制御部４１は、照合結果の情報を含む制御結果情報を通信部４３から通信端末５に送信する（ステップＡ９）。例えば、双方の電力変位パターンが合致している場合は、電気機器の遠隔制御が正常に実行された旨の情報を含む制御結果情報を通信端末５に送信する。また、双方の電力変位パターンが合致していない場合は、電気機器の遠隔制御が正常に実行されなかった旨の情報を含む制御結果情報を通信端末５に送信する。
【００５９】
通信端末５の制御部５１は、制御結果情報を通信部５５が受信すると、制御結果情報に基づいた結果を表示部５３に表示する（ステップＡ１０）。例えば、電気機器の遠隔制御が正常に実行された旨の情報が制御結果情報に含まれている場合は、図１６に示すように、電気機器の遠隔制御が正常に実行された旨の情報を表示部５３に表示する。また、電気機器の遠隔制御が正常に実行されなかった旨の情報が制御結果情報に含まれている場合は、電気機器の遠隔制御が正常に実行されなかった旨の情報を表示部５３に表示する。これにより、通信端末５の利用者は、電気機器１−１〜ｎを遠隔制御した際に、その電気機器１−１〜ｎが正常に制御されたか否かを把握することができる。
【００６０】
＜本実施形態の電気機器制御システムの作用・効果＞
このように、本実施形態の電気機器制御システムは、所定の制御内容で電気機器１−１〜ｎを制御した際に当該電気機器１−１〜ｎで発生した消費電力量の変位パターンである電力変位パターンを、当該電気機器１−１〜ｎを制御した際の制御内容を特定する制御情報である利用者識別子、制御識別子に対応付けて電力記憶装置４の電力変位パターン記憶テーブル４２３に予め記憶して管理する。そして、通信端末５は、電気機器１−１〜ｎを制御するための制御要求を電気機器制御装置３に送信し、電気機器制御装置３は、通信端末５から送信された制御要求に基づいて電気機器１−１〜ｎを制御する。この時、電力記憶装置４は、電力情報記憶テーブル４２１に記憶された電力情報を基に、電気機器制御装置３が制御要求に基づいて電気機器１−１〜ｎを制御した際に当該電気機器１−１〜ｎで実際に発生した電力変位パターンを取得する。また、電力記憶装置４は、電気機器制御装置３が制御要求に基づいて電気機器１−１〜ｎを制御した際の制御内容に対応する制御情報である利用者識別子、制御識別子に対応付けられた電力変位パターンを電力変位パターン記憶テーブル４２３から取得する。そして、電力記憶装置４は、双方の電力変位パターンを照合し、照合結果を通信端末５に通知する。これにより、通信端末５は、電気機器制御装置３が通信端末５から送信された制御要求に基づいて電気機器１−１〜ｎを制御した際に当該電気機器１−１〜ｎで実際に発生した電力変位パターンと、電気機器制御装置３が通信端末５から送信された制御要求に基づいて電気機器１−１〜ｎを制御した際の制御内容に対応する制御情報である利用者識別子、制御識別子に対応付けられて電力変位パターン記憶テーブル４２３に記憶されている電力変位パターンと、を照合した照合結果を取得する。その結果、通信端末５の利用者は、照合結果を基に、電気機器１−１〜ｎを遠隔制御した際に、その電気機器１−１〜ｎが正常に制御されたか否かを把握することができる。
【００６１】
なお、上述した実施形態の処理動作では、図１１に示すステップＳ１１において通信端末５が電力変位パターン記憶要求を電力記憶装置４に送信することにしている。しかし、例えば、図１７に示すステップＳ２１のように、電気機器制御装置３が電力変位パターン記憶要求を電力記憶装置４に送信するようにすることも可能である。図１７では、ステップＳ７において、電気機器制御装置３が信号コード「０００１１」を制御識別子「１」に対応付けて図６に示す制御信号記憶テーブル３４１に記憶した後に、電力変位パターン記憶要求を電力記憶装置４に送信するようにしている（ステップＳ２１）。そして、電力記憶装置４は、電力変位パターンを電力変位パターン記憶テーブル４２３に記憶し（ステップＳ１２）、電力変位パターン記憶完了通知を電気機器制御装置３に送信する（ステップＳ２２）。電気機器制御装置３は、電力変位パターン記憶完了通知を受信した場合に、制御記憶完了通知を通信端末５に送信する（ステップＳ２３）。通信端末５は、制御記憶完了通知を受信した場合に、制御内容を制御内容記憶テーブル５２１に記憶する（ステップＳ２４）。このように、電気機器制御装置３が電力変位パターン記憶要求を電力記憶装置４に送信することも可能である。なお、電気機器制御装置３が電力変位パターン記憶要求を電力記憶装置４に送信するタイミングは、図１７に示すタイミングに限定せず、例えば、ステップＳ８において電気機器制御装置３が信号コードを含む赤外線を発信した後に、電力変位パターン記憶要求を電力記憶装置４に送信するようにすることも可能である。
【００６２】
（第２の実施形態）
次に、第２の実施形態について説明する。
【００６３】
第１の実施形態は、図１２に示すように、電力記憶装置４において電力変位パターンの照合判定の処理を行うことにしている（ステップＡ６〜Ａ９）。
【００６４】
本実施形態は、通信端末５において電力変位パターンの照合判定の処理を行う。この場合も、第１の実施形態と同様に、通信端末５の利用者は、電気機器１−１〜ｎを遠隔制御した際に、その電気機器１−１〜ｎが正常に制御されたか否かを把握することができる。以下、添付図面を参照しながら、本実施形態の処理動作例について説明する。なお、本実施形態の電気機器制御システムのシステム構成は、図１に示す第１の実施形態と同様であるため、説明を省略する。また、本実施形態において第１の実施形態と同様の処理については説明を省略する。
【００６５】
まず、本実施形態の電気機器制御システムを構成する各装置の構成例について説明する。
【００６６】
本実施形態の電力機器制御システムは、図１８に示すように、通信端末５が電力変位パターン記憶テーブル５２２を有して構成している。電力変位パターン記憶テーブル５２２は、図９に示す電力変位パターン記憶テーブル４２３と同様に、利用者識別子、制御識別子、電力変位パターンを対応付けて記憶する。
【００６７】
＜電気機器制御システムの処理動作例＞
次に、図１９〜図２０を参照しながら、本実施形態の電気機器制御システムの処理動作例について説明する。図１９は、電力変位パターンを通信端末５に記憶する場合の処理動作例を示す。図２０は、通信端末５を用いて電気機器１−１〜ｎを遠隔制御する場合の処理動作例を示す。
【００６８】
＜電力変位パターンを通信端末５に記憶する場合の処理動作例＞
まず、電気機器１−１〜ｎで所定の制御を行った際に当該電気機器１−１〜ｎで発生する消費電力量の変位パターンである電力変位パターンを通信端末５に記憶する処理動作例について説明する。
【００６９】
本実施形態においては、図１９に示すステップＳ３１において電力記憶装置４の制御部４１は、電力変位パターン記憶要求を通信部４３が受信すると、その電力変位パターン記憶要求に含まれる利用者識別子「Ｕ００１」を基に、図８に示す利用者記憶テーブル４２２から利用者識別子「Ｕ００１」に対応する使用電力測定器識別子「Ｓ００１」を特定する。そして、制御部４１は、その特定した使用電力測定器識別子「Ｓ００１」を基に、図７に示す電力情報記憶テーブル４２１から使用電力測定器識別子「Ｓ００１」に対応付けられた電力情報１を読み込み、その読み込んだ電力情報１を基に、既定の期間（例えば、電力変位パターン記憶要求を受信した１分前〜受信後３分後までの期間）の電力変位パターン１（例えば、電力変位パターン記憶要求があった前後の電力量の増減と時間との関係）を取得する。そして、制御部４１は、その取得した電力変位パターン１を通信部４３から通信端末５に送信する（ステップＳ３１）。
【００７０】
通信端末５の制御部５１は、電力変位パターン１を通信部５５が受信すると、その電力変位パターン１を利用者識別子「Ｕ００１」、制御識別子「１」に対応付けて電力変位パターン記憶テーブル５２２に記憶する（ステップＳ３２）。
【００７１】
これにより、通信端末５は、信号コード「０００１１」を含む赤外線を受信した電気機器１−１がその信号コード「０００１１」に対応する制御を開始した前後の期間に発生する電力変位パターンを通信端末５の電力変位パターン記憶テーブル５２２に記憶して管理することができる。
【００７２】
＜通信端末５を用いて電気機器１−１〜ｎを遠隔制御する場合の処理動作例＞
次に、通信端末５を用いて電気機器１−１〜ｎを遠隔制御する場合の処理動作例について説明する。
【００７３】
本実施形態においては、図２０に示すステップＡ６において、電力記憶装置４の制御部４１は、制御結果取得要求を通信部４３が受信すると、制御結果取得要求に含まれる利用者識別子「Ｕ００１」を基に、図８に示す利用者記憶テーブル４２２から利用者識別子「Ｕ００１」に対応する使用電力測定器識別子「Ｓ００１」を取得する。そして、制御部４１は、その取得した使用電力測定器識別子「Ｓ００１」を基に、図７に示す電力情報記憶テーブル４２１から使用電力測定器識別子「Ｓ００１」に対応付けられた電力情報１を読み込み、その読み込んだ電力情報１を基に、既定の期間（例えば、制御結果取得要求を受信した１分前〜受信後３分後までの期間）の電力変位パターン（例えば、制御結果取得要求があった前後の電力量の増減と時間との関係）を取得する（ステップＡ６）。電力記憶装置４は、ステップＡ６で取得した電力変位パターンを通信部４３から通信端末５に送信する（ステップＡ３１）。これにより、通信端末５は、電気機器１−１が遠隔制御された際に当該電気機器１−１で発生する消費電力量の電力変位パターンを取得する（ステップＡ３２）。
【００７４】
次に、通信端末５の制御部５１は、記憶部５２の電力変位パターン記憶テーブル５２２から制御識別子「１」に対応付けられた電力変位パターン１を取得する（ステップＡ３３）。そして、通信端末５の制御部５１は、電気機器１−１が遠隔制御された際にステップＡ３２で電力記憶装置４から取得した電力変位パターンと、ステップＡ３３で通信端末５の電力変位パターン記憶テーブル５２２から取得した電力変位パターン１と、を照合し、双方の電力変位パターンが合致しているか判定する（ステップＡ３４）。そして、制御部５１は、照合結果の情報を表示部５３に表示する（ステップＡ３５）。例えば、双方の電力変位パターンが合致していると判定した場合は、電気機器の遠隔制御が正常に実行された旨の情報を表示部５３に表示する。また、双方の電力変位パターンが合致していないと判定した場合は、電気機器の遠隔制御が正常に実行されなかった旨の情報を表示部５３に表示する。
【００７５】
＜本実施形態の電気機器制御システムの作用・効果＞
このように、本実施形態の電気機器制御システムは、電気機器１−１〜ｎを制御した際に当該電気機器１−１〜ｎで発生した消費電力量の変位パターンである電力変位パターンを、当該電気機器１−１〜ｎを制御した際の制御内容を特定する制御情報である利用者識別子、制御識別子に対応付けて通信端末５の電力変位パターン記憶テーブル５２２に予め記憶して管理する。そして、通信端末５は、電気機器制御装置３を介して電気機器１−１〜ｎを遠隔制御する。この時、通信端末５は、通信端末５により電気機器制御装置３を介して電気機器１−１〜ｎが遠隔制御された際に当該電気機器１−１〜ｎで発生した消費電力量の変位パターンである電力変位パターンを電力記憶装置４から取得する。また、通信端末５は、通信端末５により電気機器制御装置３を介して遠隔制御した際の制御識別子に対応付けられた電力変位パターンを通信端末５の電力変位パターン記憶テーブル５２２から取得する。そして、通信端末５は、双方の電力変位パターンを照合し、照合結果を通信端末５の表示部５３に表示する。これにより、通信端末５の利用者は、照合結果を基に、電気機器１−１〜ｎを遠隔制御した際に、その電気機器１−１〜ｎが正常に制御されたか否かを把握することができる。
【００７６】
なお、上述した実施形態では、通信端末５が電力変位パターン記憶テーブル５２２を有して構成し、図１９、図２０に示す一連の処理を行い、通信端末５において電力変位パターンの照合判定の処理を行うようにしている。しかし、第１の実施形態のように、電力記憶装置４が図９に示す電力変位パターン記憶テーブル４２３を有して構成し、例えば、図２１に示す処理動作例のように、通信端末５が利用者識別子「Ｕ００１」を含む電力変位パターンの取得要求を電力記憶装置４に送信し（ステップＡ４１）、図９に示す利用者識別子「Ｕ００１」に対応付けられた制御識別子「１」、「２」、電力変位パターン１、２を電力記憶装置４から取得し、通信端末５の電力変位パターン記憶テーブル５２２に記憶するようにしても良い（ステップＡ４２〜４４）。この図２１に示す処理を行う場合は、図１１に示す一連の処理を行った後に図２１に示す一連の処理を行うことになる。
【００７７】
また、上述した実施形態では、通信端末５の電力変位パターン記憶テーブル５２２は、利用者識別子、制御識別子、電力変位パターンを対応付けて記憶することにした。しかし、通信端末５が利用者専用である場合は、電力変位パターン記憶テーブル５２２は、利用者識別子を記憶せず、制御識別子、電力変位パターンを対応付けて記憶するようにしても良い。また、上述した実施形態では、通信端末５は、図１８に示すように、制御内容記憶テーブル５２１と、電力変位パターン記憶テーブル５２２と、を有して構成している。しかし、制御内容記憶テーブル５２１の情報と電力変位パターン記憶テーブル５２２の情報とを統合し、図２２に示すような制御内容・電力変位パターン記憶テーブル５２３を有して構成しても良い。図２２に示す制御内容・電力変位パターン記憶テーブル５２３は、利用者識別子、番号ボタン、制御識別子、制御内容、電力変位パターンを対応付けて記憶している。
【００７８】
（第３の実施形態）
次に、第３の実施形態について説明する。
【００７９】
本実施形態は、電気機器制御装置３において電力変位パターンの照合判定の処理を行う。この場合も、第１の実施形態と同様に、通信端末５の利用者は、電気機器１−１〜ｎを遠隔制御した際に、その電気機器１−１〜ｎが正常に制御されたか否かを把握することができる。以下、添付図面を参照しながら、本実施形態の処理動作例について説明する。なお、本実施形態の電気機器制御システムのシステム構成は、図１に示す第１の実施形態と同様であるため、説明を省略する。また、本実施形態において第１の実施形態と同様の処理については説明を省略する。
【００８０】
まず、本実施形態の電気機器制御システムを構成する各装置の構成例について説明する。
【００８１】
本実施形態の電力機器制御システムは、図２３に示すように、電気機器制御装置３が電力変位パターン記憶テーブル３４２を有している。電力変位パターン記憶テーブル３４２は、図９に示す電力変位パターン記憶テーブル４２３と同様に、利用者識別子、制御識別子、電力変位パターンを対応付けて記憶する。
【００８２】
また、電気機器制御装置３は、図２４に示すように、制御記憶ボタン３６と、番号ボタン３７と、を有して構成する。制御記憶ボタン３６は、電気機器１−１〜ｎを遠隔制御する際の信号コードを記憶する際に使用するボタンである。番号ボタン３７は、電気機器１−１〜ｎを遠隔制御する際の信号コードを記憶したい番号を特定するボタンである。なお、図２４に示す制御記憶ボタン３６、番号ボタン３７は、物理的な構造で構成しても良く、また、第１の実施形態で説明した通信端末５のように、制御記憶ボタン３６と番号ボタン３７とで構成する所定の操作画面を電気機器制御装置３の表示部に表示するようにしても良い。
【００８３】
＜電気機器制御システムの処理動作例＞
次に、図２５〜図２６を参照しながら、本実施形態の電気機器制御システムの処理動作例について説明する。図２５は、電力変位パターンを電気機器制御装置３に記憶する場合の処理動作例を示す。図２６は、通信端末５を用いて電気機器１−１〜ｎを遠隔制御する場合の処理動作例を示す。
【００８４】
＜電力変位パターンを電気機器制御装置３に記憶する場合の処理動作例＞
まず、電気機器１−１〜ｎで所定の制御を行った際に当該電気機器１−１〜ｎで発生する消費電力量の変位パターンである電力変位パターンを電気機器制御装置３に記憶する処理動作例について説明する。
【００８５】
本実施形態において、リモコン１０−１〜ｎの信号コードを電気機器制御装置３に登録する場合は、利用者が、利用者識別子「Ｕ００１」を電気機器制御装置３に設定し、電気機器制御装置３の制御記憶ボタン３６と共に、リモコン１０−１〜ｎの信号コードを登録したい番号ボタン３７を選択して押下する（ステップＳ５１）。利用者識別子「Ｕ００１」を電気機器制御装置３に設定する方法は、特に限定せず、例えば、通信端末５から電気機器制御装置３に接続して設定しても良い。また、利用者が電気機器制御装置３を操作して設定しても良い。本実施形態では、番号ボタン「１」を押下した場合について説明する。
【００８６】
電気機器制御装置３の制御部３１は、利用者識別子「Ｕ００１」を電気機器制御装置３に設定した後に、制御記憶ボタン３６と番号ボタン３７とが押下された場合に、リモコン１０−１〜ｎの信号コードを電気機器制御装置３に登録するための処理を行うと判断し、赤外線受信部３２を受信待機状態にし、赤外線を受信可能な状態にする（ステップＳ５２）。
【００８７】
利用者は、登録対象のリモコン１０−１〜ｎを電気機器制御装置３の赤外線受信部３２の方向に向け、電気機器制御装置３に登録したい制御内容のボタン操作を行う。リモコン１０−１〜ｎは、ボタン操作に対応する信号コードを含む赤外線を発信する（ステップＳ５３）。本実施形態では、信号コードを「０００１１」とした場合について説明する。
【００８８】
電気機器制御装置３の制御部３１は、受信待機状態になってから第１の既定時間（例えば、５秒）以内に、赤外線受信部３２が赤外線を受信すると、その受信した赤外線に含まれる信号コード「０００１１」を、押下された番号ボタン「１」の制御識別子「１」と利用者識別子「Ｕ００１」とに対応付けて図６に示す制御信号記憶テーブル３４１に記憶する（ステップＳ５４）。これにより、制御信号記憶テーブル３４１には、利用者識別子「Ｕ００１」と制御識別子「１」と信号コード「０００１１」とが対応付けて記憶されることになる。
【００８９】
次に、電気機器制御装置３の制御部３１は、赤外線受信待機状態から、電力変位パターン受信待機状態にする（ステップＳ５５）。その後、電気機器制御装置３の制御部３１は、制御識別子「１」に対応する信号コード「０００１１」を含む赤外線を赤外線送信部３３から発信する（ステップＳ５６）。これにより、制御対象の信号コード「０００１１」を含む赤外線を受信した電気機器１−１は、その信号コード「０００１１」に対応する制御を開始することになる（ステップＳ５７）。
【００９０】
次に、電気機器制御装置３の制御部３１は、制御識別子「１」に対応する電力変位パターンを取得するための電力変位パターン取得要求を通信部３５から電力記憶装置４に送信する（ステップＳ５８）。この場合、制御部３１は、利用者識別子「Ｕ００１」を含む電力変位パターン取得要求を電力記憶装置４に送信する。
【００９１】
電力記憶装置４の制御部４１は、電力変位パターン取得要求を通信部４３が受信すると、その電力変位パターン取得要求に含まれる利用者識別子「Ｕ００１」を基に、図８に示す利用者記憶テーブル４２２から利用者識別子「Ｕ００１」に対応する使用電力測定器識別子「Ｓ００１」を特定する。そして、制御部４１は、その特定した使用電力測定器識別子「Ｓ００１」を基に、図７に示す電力情報記憶テーブル４２１から使用電力測定器識別子「Ｓ００１」に対応付けられた電力情報１を読み込み、その読み込んだ電力情報１を基に、既定の期間（例えば、電力変位パターン取得要求を受信した１分前〜受信後３分後までの期間）の電力変位パターン１（例えば、電力変位パターン取得要求があった前後の電力量の増減と時間との関係）を取得する。そして、制御部４１は、その取得した電力変位パターン１を通信部４３から電気機器制御装置３に送信する（ステップＳ５９）。
【００９２】
電気機器制御装置３の制御部３１は、電力変位パターン受信待機状態になっている状態で、電力変位パターン１を通信部３５が受信すると、その電力変位パターン１を利用者識別子「Ｕ００１」と制御識別子「１」とに対応付けて電力変位パターン記憶テーブル３４２に記憶する（ステップＳ５０）。そして、電力変位パターン受信待機状態を終了する。
【００９３】
これにより、電気機器制御装置３は、制御対象の信号コード「０００１１」の赤外線を受信した電気機器１−１がその信号コード「０００１１」に対応する制御を開始した前後の期間に発生する電力変位パターンを電気機器制御装置３の電力変位パターン記憶テーブル３４２に記憶して管理することができる。
【００９４】
本実施形態の電気機器制御システムは、リモコン１０−１〜ｎの信号コードを電気機器制御装置３の制御信号記憶テーブル３４１に登録すると共に、そのリモコン１０−１〜ｎの信号コードで電気機器１−１〜ｎを制御した際に電気機器１−１〜ｎで発生する電力変位パターンを電気機器制御装置３の電力変位パターン記憶テーブル３４２に記憶する。これにより、電気機器制御装置３が電気機器１−１〜ｎを制御した際に当該電気機器１−１〜ｎで発生する電力変位パターンを電気機器制御装置３の電力変位パターン記憶テーブル３４２に記憶することができる。その結果、電気機器制御装置３が各電気機器１−１〜ｎを制御した際に当該各電気機器１−１〜ｎで発生する各種の電力変位パターンを電力変位パターン記憶テーブル３４２で管理することができる。
【００９５】
本実施形態の通信端末５は、電気機器制御装置３の制御信号記憶テーブル３４１に通信端末５自身の利用者識別子「Ｕ００１」に対応付けられた制御識別子の情報を取得する。例えば、通信端末５は、電気機器制御装置３にアクセスし、通信端末５の利用者識別子「Ｕ００１」に対応付けられた制御識別子の情報を制御信号記憶テーブル３４１から取得する。これにより、通信端末５は、電気機器制御装置３の制御信号記憶テーブル３４１に記憶された通信端末５自身の制御識別子の情報を取得することができる。本実施形態においては、電気機器制御装置３の制御信号記憶テーブル３４１に記憶された通信端末５自身の利用者識別子「Ｕ００１」に対応付けられた制御識別子の情報を通信端末５が取得できれば、その取得方法は特に限定せず、任意の方法で取得することが可能である。例えば、通信端末５の利用者が電気機器制御装置３を操作し、通信端末５自身の利用者識別子「Ｕ００１」に対応付けられた制御識別子の情報を通信端末５に送信するようにしても良い。通信端末５の制御部５１は、通信端末５自身の利用者識別子「Ｕ００１」に対応付けられた制御識別子の情報を電気機器制御装置３から取得した場合は、その取得した制御識別子の情報を番号ボタンに対応付け制御内容記憶テーブル５２１に記憶する。これにより、通信端末５は、電気機器制御装置３の制御信号記憶テーブル３４１に記憶された制御識別子を制御内容記憶テーブル５２１に記憶して管理することができる。
【００９６】
＜通信端末５を用いて電気機器１−１〜ｎを遠隔制御する場合の処理動作例＞
次に、通信端末５を用いて電気機器１−１〜ｎを遠隔制御する場合の処理動作例について説明する。
【００９７】
通信端末５を用いて電気機器１−１〜ｎを遠隔制御する場合は、通信端末５にインストールされた電気機器制御アプリを起動する（ステップＡ５１）。電気機器制御アプリが起動すると、通信端末５の制御部５１は、図１５に示すように、操作記憶ボタン５６と、番号ボタン５７と、で構成する所定の操作画面を表示部５３に表示する。図１５に示す操作画面は、番号ボタン「１」に対応付けられて制御内容が制御内容記憶テーブル５２１に記憶されているため、番号ボタン「１」に対応付けられた制御内容である「テレビ電源ＯＮ」が表示されている。利用者は、操作画面に表示された番号ボタン５７の中から遠隔制御したい制御内容の番号ボタンを選択して押下する。これにより、通信端末５の入力部５４は、押下された番号ボタンの情報を入力することになる。本実施形態では、番号ボタン「１」を押下した場合について説明する。このため、入力部５４は、番号ボタン「１」の情報を入力することになる。
【００９８】
通信端末５の制御部５１は、番号ボタンの情報が入力部５４から入力された場合に、電気機器１−１〜ｎを遠隔制御するための処理を行うと判断し、番号ボタン「１」の制御識別子「１」、利用者識別子「Ｕ００１」を含む制御要求を通信部５５から電気機器制御装置３に送信する（ステップＡ５２）。
【００９９】
電気機器制御装置３の制御部３１は、制御要求を通信部３５が受信すると、制御要求に含まれる利用者識別子「Ｕ００１」と制御識別子「１」とを基に、図６に示す制御信号記憶テーブル３４１から利用者識別子「Ｕ００１」と制御識別子「１」とに対応付けられた信号コード「０００１１」を取得し、その取得した信号コード「０００１１」を含む赤外線を赤外線送信部３３から発信する（ステップＡ５３）。これにより、制御対象の信号コード「０００１１」を含む赤外線を受信した電気機器１−１は、その信号コード「０００１１」に対応する制御を開始することになる（ステップＡ５４）。
【０１００】
また、電気機器制御装置３の制御部３１は、電気機器１−１を制御した際の制御結果を取得するための制御結果取得要求を通信部３５から電力記憶装置４に送信する（ステップＡ５５）。この場合、電気機器制御装置３の制御部３１は、利用者識別子「Ｕ００１」と制御識別子「１」とを含む制御結果取得要求を電力記憶装置４に送信する。
【０１０１】
電力記憶装置４の制御部４１は、制御結果取得要求を通信部４３が受信すると、制御結果取得要求に含まれる利用者識別子「Ｕ００１」を基に、図８に示す利用者記憶テーブル４２２から利用者識別子「Ｕ００１」に対応する使用電力測定器識別子「Ｓ００１」を取得する。そして、制御部４１は、その取得した使用電力測定器識別子「Ｓ００１」を基に、図７に示す電力情報記憶テーブル４２１から使用電力測定器識別子「Ｓ００１」に対応付けられた電力情報１を読み込み、その読み込んだ電力情報１を基に、既定の期間（例えば、制御結果取得要求を受信した１分前〜受信後３分後までの期間）の電力変位パターン（例えば、制御結果取得要求があった前後の電力量の増減と時間との関係）を取得する（ステップＡ５６）。そして、制御部４１は、その取得した電力変位パターンを通信部４３から電気機器制御装置３に送信する（ステップＡ５７）。
【０１０２】
これにより、電気機器制御装置３は、電気機器１−１が遠隔制御された際に当該電気機器１−１で発生する消費電力量の電力変位パターンを取得することができる（ステップＡ５８）。次に、電気機器制御装置３の制御部３１は、制御要求に含まれる利用者識別子「Ｕ００１」と制御識別子「１」とを基に、電力変位パターン記憶テーブル３４２から利用者識別子「Ｕ００１」と制御識別子「１」とに対応付けられた電力変位パターン１を取得する（ステップＡ５９）。そして、電気機器制御装置３の制御部３１は、電気機器１−１を制御した際にステップＡ５８で電力記憶装置４から取得した電力変位パターンと、ステップＡ５９で電気機器制御装置３の電力変位パターン記憶テーブル３４２から取得した電力変位パターン１と、を照合し、双方の電力変位パターンが合致しているか判定する（ステップＡ６０）。そして、制御部３１は、照合結果の情報を含む制御結果情報を通信部３５から通信端末５に送信する（ステップＡ６１）。例えば、双方の電力変位パターンが合致している場合は、電気機器の遠隔制御が正常に実行された旨の情報を含む制御結果情報を通信端末５に送信する。また、双方の電力変位パターンが合致していない場合は、電気機器の遠隔制御が正常に実行されなかった旨の情報を含む制御結果情報を通信端末５に送信する。
【０１０３】
通信端末５の制御部５１は、制御結果情報を通信部５５が受信すると、制御結果情報に基づいた結果を表示部５３に表示する（ステップＡ６２）。例えば、電気機器の遠隔制御が正常に実行された旨の情報が制御結果情報に含まれている場合は、電気機器の遠隔制御が正常に実行された旨の情報を表示部５３に表示する。また、電気機器の遠隔制御が正常に実行されなかった旨の情報が制御結果情報に含まれている場合は、電気機器の遠隔制御が正常に実行されなかった旨の情報を表示部５３に表示する。これにより、通信端末５の利用者は、電気機器１−１〜ｎを遠隔制御した際に、その電気機器１−１〜ｎが正常に制御されたか否かを把握することができる。
【０１０４】
＜本実施形態の電気機器制御システムの作用・効果＞
このように、本実施形態の電気機器制御システムは、電気機器１−１〜ｎを制御した際に当該電気機器１−１〜ｎで発生した消費電力量の変位パターンである電力変位パターンを、当該電気機器１−１〜ｎを制御した際の制御内容を特定する制御情報である利用者識別子、制御識別子に対応付けて電気機器制御装置３の電力変位パターン記憶テーブル３４２に予め記憶して管理する。そして、通信端末５は、電気機器制御装置３を介して電気機器１−１〜ｎを遠隔制御する。この時、電気機器制御装置３は、通信端末５により電気機器制御装置３を介して電気機器１−１〜ｎが遠隔制御された際に当該電気機器１−１〜ｎで発生した消費電力量の変位パターンである電力変位パターンを電力記憶装置４から取得する。また、電気機器制御装置３は、通信端末５により電気機器制御装置３を介して遠隔制御した際の制御識別子に対応付けられた電力変位パターンを電気機器制御装置３の電力変位パターン記憶テーブル３４２から取得する。そして、電気機器制御装置３は、双方の電力変位パターンを照合し、照合結果を通信端末５に通知する。これにより、通信端末５は、電気機器制御装置３を介して電気機器１−１〜ｎを遠隔制御した際の制御結果である照合結果を電気機器制御装置３から得ることができる。その結果、通信端末５の利用者は、照合結果を基に、電気機器１−１〜ｎを遠隔制御した際に、その電気機器１−１〜ｎが正常に制御されたか否かを把握することができる。
【０１０５】
なお、上述した実施形態では、電気機器制御装置３は、図２３に示すように、制御信号記憶テーブル３４１と、電力変位パターン記憶テーブル３４２と、を有して構成した。しかし、電気機器制御装置３は、制御信号記憶テーブル３４１の情報と電力変位パターン記憶テーブル３４２の情報とを統合し、図２７に示すような制御信号・電力変位パターン記憶テーブル３４３を有して構成しても良い。図２７に示す制御信号・電力変位パターン記憶テーブル３４３は、利用者識別子、制御識別子、信号コード、電力変位パターンを対応付けて記憶している。
【０１０６】
（第４の実施形態）
次に、第４の実施形態について説明する。
【０１０７】
上記の第１〜第３の実施形態では、利用者がリモコン１０−１〜ｎを操作して、リモコン１０−１〜ｎの信号コードを電気機器制御装置３に登録することにしている。また、電気機器制御装置３に登録した信号コードで電気機器１−１〜ｎを制御した際に当該電気機器１−１〜ｎで発生する電力変位パターンを使用電力測定器２から取得した電力情報を基に取得し、その取得した電力変位パターンを電力変位パターン記憶テーブルに記憶するようにしている。
【０１０８】
本実施形態では、リモコン１０−１〜ｎで制御可能な各種の電気機器１−１〜ｎの制御内容と、その制御内容で電気機器１−１〜ｎを制御した際に当該電気機器１−１〜ｎで発生する消費電力量の変位パターンである電力変位パターンと、を対応付けた設定情報を電力記憶装置４の設定情報記憶テーブル４２４に予め記憶して管理する。設定情報記憶テーブル４２４は、図２８に示すように、制御内容と、信号コードと、電力変位パターンと、を対応付けて記憶している。制御内容は、リモコン１０−１〜ｎで制御可能な各種の電気機器１−１〜ｎの制御内容である。例えば、制御対象の電気機器名と、その電気機器をリモコンで操作する操作名等で構成する。信号コードは、制御内容に対応する制御を制御対象の電気機器１−１〜ｎで開始するための信号コードである。電力変位パターンは、制御内容に対応する信号コードで制御対象の電気機器１−１〜ｎを制御した際に当該電気機器１−１〜ｎで発生する消費電力量の変位パターンである。電力変位パターンは、サービス提供者側が予め測定し、制御内容と対応付けて設定情報記憶テーブル４２４に記憶することになる。通信端末５の利用者は、通信端末５を用いて電力記憶装置４にアクセスし、図２８に示す設定情報記憶テーブル４２４を参照し、設定情報記憶テーブル４２４に記憶されている各種の電気機器１−１〜ｎの制御内容の中から電気機器制御装置３に登録する信号コードに対応する制御内容を選択し、通信端末５の表示部５３に表示される番号ボタン５７の制御識別子と対応付けて制御内容記憶テーブル５２１に記憶する。また、利用者は、通信端末５を用いて、設定情報記憶テーブル４２４から選択した制御内容に対応する信号コードと制御識別子との対応情報を電気機器制御装置３の制御信号記憶テーブル３４１に記憶する。これにより、通信端末５の利用者は、リモコン１０−１〜ｎを操作しなくとも、リモコン１０−１〜ｎの制御内容に対応する信号コードを電気機器制御装置３の制御信号記憶テーブル３４１に記憶することができる。以下、添付図面を参照しながら、本実施形態の処理動作例について説明する。なお、本実施形態の電気機器制御システムのシステム構成は、図１に示す第１の実施形態と同様であるため、説明を省略する。また、本実施形態において第１の実施形態と同様の処理については説明を省略する。
【０１０９】
まず、本実施形態の電気機器制御システムを構成する各装置の構成例について説明する。
【０１１０】
本実施形態の電力機器制御システムは、図２９に示すように、電力記憶装置４が設定情報記憶テーブル４２４を有して構成している。設定情報記憶テーブル４２４は、図２８に示すように、制御内容と、信号コードと、電力変位パターンと、を対応付けて記憶している。
【０１１１】
＜電気機器制御システムの処理動作例＞
次に、図３０を参照しながら、本実施形態の電気機器制御システムの処理動作例について説明する。図３０は、電力記憶装置４の設定情報記憶テーブル４２４に記憶されている信号コードを電気機器制御装置３に記憶する場合の処理動作例を示す。
【０１１２】
本実施形態において、リモコン１０−１〜ｎの信号コードを電気機器制御装置３に登録する場合は、通信端末５にインストールされた電気機器制御アプリを起動する（ステップＳ７１）。電気機器制御アプリが起動すると、通信端末５の制御部５１は、電力記憶装置４にアクセスし、設定情報記憶テーブル４２４を参照し、設定情報記憶テーブル４２４に記憶されている各種の電気機器１−１〜ｎの制御内容の中から電気機器制御装置３に登録する信号コードに対応する制御内容を選択し、通信端末５の表示部５３に表示される番号ボタン５７の制御識別子と対応付けて制御内容記憶テーブル５２１に記憶する（ステップＳ７２）。制御内容の選択は、利用者が通信端末５を操作して行うことになる。例えば、設定情報記憶テーブル４２４に記憶されている設定情報を通信端末５の表示部５３に表示し、表示部５３に表示された設定情報の中から電気機器制御装置３に登録する信号コードに対応する制御内容を利用者が選択する。これにより、通信端末５の制御部５１は、利用者により選択された制御内容を基に、設定情報記憶テーブル４２４に記憶されている各種の電気機器１−１〜ｎの制御内容の中から電気機器制御装置３に登録する信号コードに対応する制御内容を選択することができる。この時、電力記憶装置４の制御部４１は、設定情報記憶テーブル４２４から通信端末５により選択された制御内容に対応する電力変位パターンを利用者識別子と制御識別子とに対応付けて電力変位パターン記憶テーブル４２３に記憶する（ステップＳ７３）。
【０１１３】
通信端末５の制御部５１は、制御内容を制御内容記憶テーブル５２１に記憶すると、その制御内容に対応する信号コードの制御記憶要求を電気機器制御装置３に送信する（ステップＳ７４）。この場合、制御部５１は、利用者識別子と制御識別子と信号コードとが対応付けられた情報を含む制御記憶要求を電気機器制御装置３に送信する。
【０１１４】
電気機器制御装置３の制御部３１は、制御記憶要求を通信部３５が受信すると、その制御要求に含まれる情報を制御信号記憶テーブル３４１に記憶する。これにより、利用者識別子と制御識別子と信号コードとを対応付けて制御信号記憶テーブル３４１に記憶することができる（ステップＳ７５）。
【０１１５】
電気機器制御装置３の制御部３１は、信号コードを制御信号記憶テーブル３４１に記憶すると、制御記憶完了通知を通信部３５から通信端末５に送信する（ステップＳ７６）。
【０１１６】
これにより、通信端末５の利用者は、リモコン１０−１〜ｎを操作しなくとも、リモコン１０−１〜ｎの制御内容に対応する信号コードを電気機器制御装置３の制御信号記憶テーブル３４１に記憶することができる。なお、上記の処理動作例では、図３０に示すように、通信端末５が電気機器制御装置３に信号コードを記憶するようにしている（ステップＳ７４〜Ｓ７６）。しかし、図３１に示すように、電力記憶装置４が電気機器制御装置３に信号コードを記憶することも可能である。
【０１１７】
図３１では、電力記憶装置４の制御部４１は、設定情報記憶テーブル４２４から通信端末５により選択された制御内容に対応する電力変位パターンを電力変位パターン記憶テーブル４２３に記憶すると（ステップＳ７３）、その制御内容に対応する信号コードの制御記憶要求を電気機器制御装置３に送信する（ステップＳ８１）。この場合、制御部４１は、利用者識別子と制御識別子と信号コードとが対応付けられた情報を含む制御記憶要求を電気機器制御装置３に送信する。
【０１１８】
電気機器制御装置３の制御部３１は、制御記憶要求を通信部３５が受信すると、その制御要求に含まれる情報を制御信号記憶テーブル３４１に記憶する。これにより、利用者識別子と制御識別子と信号コードとを対応付けて制御信号記憶テーブル３４１に記憶することができる（ステップＳ８２）。
【０１１９】
電気機器制御装置３の制御部３１は、信号コードを制御信号記憶テーブル３４１に記憶すると、制御記憶完了通知を通信部３５から電力記憶装置４に送信する（ステップＳ８３）。これにより、通信端末５の利用者は、リモコン１０−１〜ｎを操作しなくとも、リモコン１０−１〜ｎの制御内容に対応する信号コードを電気機器制御装置３の制御信号記憶テーブル３４１に記憶することができる。
【０１２０】
なお、通信端末５を用いて電気機器１−１〜ｎを遠隔制御する場合は、第１の実施形態と同様に図１２に示す一連の処理動作を行うことになる。
【０１２１】
＜本実施形態の電気機器制御システムの作用・効果＞
このように、本実施形態の電気機器制御システムは、リモコン１０−１〜ｎで制御可能な各種の電気機器１−１〜ｎの制御内容と、その制御内容で電気機器１−１〜ｎを制御した際に当該電気機器１−１〜ｎで発生する消費電力量の変位パターンである電力変位パターンと、を対応付けた設定情報を電力記憶装置４の設定情報記憶テーブル４２４に予め記憶して管理する。そして、通信端末５の利用者は、通信端末５を用いて電力記憶装置４にアクセスし、設定情報記憶テーブル４２４を参照し、設定情報記憶テーブル４２４に記憶されている各種の電気機器１−１〜ｎの制御内容の中から電気機器制御装置３に登録する信号コードに対応する制御内容を選択し、通信端末５の表示部５３に表示される番号ボタン５７の制御識別子と対応付けて制御内容記憶テーブル５２１に記憶する。また、利用者は、通信端末５を用いて、制御内容に対応する信号コードと制御識別子との対応情報を電気機器制御装置３の制御信号記憶テーブル３４１に記憶する。これにより、通信端末５の利用者は、リモコン１０−１〜ｎを操作しなくとも、リモコン１０−１〜ｎの制御内容に対応する信号コードを電気機器制御装置３の制御信号記憶テーブル３４１に記憶することができる。
【０１２２】
なお、上述した図３０、図３１に示す処理動作例では、電力記憶装置４で電力変位パターンを記憶して管理することにしている。しかし、第２の実施形態のように通信端末５において電力変位パターンを記憶して管理することも可能である。また、第３の実施形態のように電気機器制御装置３において電力変位パターンを記憶して管理することも可能である。
【０１２３】
例えば、第２の実施形態のように通信端末５において電力変位パターンを記憶して管理する場合は、例えば、図３２に示す処理動作を行うことになる。図３２では、通信端末５の制御部５１は、ステップＳ７２において、設定情報記憶テーブル４２４から選択された制御内容を制御内容記憶テーブル５２１に記憶すると、その設定情報記憶テーブル４２４から選択された制御内容に対応する電力変位パターンを利用者識別子、制御識別子に対応付けて電力変位パターン記憶テーブル５２２に記憶する（ステップＳ９１）。そして、通信端末５は、電力変位パターンを電力変位パターン記憶テーブル５２２に記憶すると、設定情報記憶テーブル４２４から選択された制御内容に対応する信号コードの制御記憶要求を電気機器制御装置３に送信し（ステップＳ７４）、利用者識別子と制御識別子と信号コードとを対応付けて制御信号記憶テーブル３４１に記憶する（ステップＳ７５）。なお、図３２に示すステップＳ７４〜Ｓ７６の処理のように、通信端末５が電気機器制御装置３に信号コードを記憶するのではなく、図３１に示すように、電力記憶装置４が電気機器制御装置３に信号コードを記憶することも可能である。これにより、設定情報記憶テーブル４２４に記憶された設定情報を用いて、第２の実施形態のように通信端末５において電力変位パターンを記憶して管理することができる。
【０１２４】
また、第３の実施形態のように電気機器制御装置３において電力変位パターンを記憶して管理する場合は、例えば、図３３に示す処理動作を行うことになる。図３３では、通信端末５の制御部５１は、ステップＳ７２において、設定情報記憶テーブル４２４から選択された制御内容を制御内容記憶テーブル５２１に記憶すると、その設定情報記憶テーブル４２４から選択された制御内容に対応する信号コードと、電力変位パターンと、の制御記憶要求を電気機器制御装置３に送信する（ステップＳ１０１）。この場合、制御部４１は、利用者識別子と制御識別子と信号コードと電力変位パターンとが対応付けられた情報を含む制御記憶要求を電気機器制御装置３に送信する。電気機器制御装置３の制御部３１は、制御記憶要求を通信部３５が受信すると、その制御要求に含まれる情報を電力変位パターン記憶テーブル３４２、制御信号記憶テーブル３４１に記憶する（ステップＳ１０２、Ｓ１０３）。これにより、利用者識別子と制御識別子と電力変位パターンとを対応付けて電力変位パターン記憶テーブル３４２に記憶することができる（ステップＳ１０２）。また、利用者識別子と制御識別子と信号コードとを対応付けて制御信号記憶テーブル３４１に記憶することができる（ステップＳ１０３）。
【０１２５】
電気機器制御装置３の制御部３１は、電力変位パターンを電力変位パターン記憶テーブル３４２に記憶し、信号コードを制御信号記憶テーブル３４１に記憶すると、制御記憶完了通知を通信部３５から電力記憶装置４に送信する（ステップＳ１０４）。なお、図３３に示すステップＳ１０１〜Ｓ１０４の処理のように、通信端末５が電気機器制御装置３に電力変位パターンや信号コードを記憶するのではなく、電力記憶装置４が電気機器制御装置３に電力変位パターンや信号コードを記憶することも可能である。これにより、設定情報記憶テーブル４２４に記憶された設定情報を用いて、第３の実施形態のように電気機器制御装置３において電力変位パターンを記憶して管理することができる。
【０１２６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１２７】
例えば、電力記憶装置４の機能を使用電力測定器２に実装するようにシステムを構築することも可能である。これにより、使用電力測定器２は、上述した第１の実施形態の電力記憶装置４のように電力変位パターンの照合判定を行ったり、上述した第２の実施形態の電力記憶装置４のように電力変位パターンを通信端末５に提供したり、上述した第３の実施形態の電力記憶装置４のように電力変位パターンを電気機器制御装置３に提供したりすることができる。
【０１２８】
また、上記実施形態では、使用電力測定器２を用いて各電気機器１−１〜ｎで発生した消費電力量を測定することにしている。しかし、各電気機器１−１〜ｎで発生した消費電力量を測定することが可能であれば、使用電力測定器２に限定せず、様々な電力測定装置を用いて各電気機器１−１〜ｎで発生した消費電力量を測定するようにすることも可能である。電力測定装置としては、配電盤の配線にクランプなどを用いて接続可能な電力測定装置、電気機器１−１〜ｎとコンセントの間に接続する電源タップ状の電力測定装置、電力会社などから提供されるスマートメータなどの電力量計などがあげられる。この種の電力測定装置を用いても、各電気機器１−１〜ｎで発生した消費電力量を測定することが可能である。
【０１２９】
また、上記実施形態では、電力変位パターン記憶テーブルに予め記憶した電力変位パターンを用いて、電気機器１−１〜ｎが正常に制御されたか否かの照合を行うことにしている。しかし、電力変位パターン記憶テーブルに電力変位パターンのログを記憶しておき、その電力変位パターンのログから算出した電力変位パターンを用いて、電気機器１−１〜ｎが正常に制御されたか否かの照合を行うこととも可能である。例えば、電気機器１−１〜ｎを制御した際の制御内容に対応する制御識別子と、電気機器１−１〜ｎを制御した際に発生した電力変位パターンと、のログを電力変位パターン記憶テーブルに記憶しておく。そして、制御対象の電気機器１−１〜ｎで発生した過去の電力変位パターンの中で一番多かった電力変位パターンや過去の電力変位パターンから（時間による変化、季節による変化や機器の経年変化等による）次の電力変位パターンの学習値や変化傾向の予測値を用いて、電気機器１−１〜ｎが正常に制御されたか否かの照合を行うようにする。電力変位パターン記憶テーブルに記憶する電力変位パターンの情報を精度の良い情報にすることで、電気機器１−１〜ｎが正常に制御されたか否かの照合を精度良く行うことが可能となる。
【０１３０】
また、上記実施形態では、制御結果取得要求を受信した１分前〜受信後３分後までの期間で電力変位パターンを取得することにしている。しかし、電力変位パターンを取得する期間は、上記の期間に限定せず、それ以外の時間で電力変位パターンを取得しても良い。また、電気機器１−１〜ｎの種類や制御内容に応じて、電力変位パターンを取得する期間を別々に設定し、その設定した期間で電力変位パターンを取得するようにしても良い。
【０１３１】
また、上記実施形態の電気機器制御システムを構成する各装置における制御動作は、ハードウェア、ソフトウェア、あるいは、両者の複合構成を用いて実行することも可能である。
【０１３２】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【０１３３】
例えば、プログラムは、記録媒体としてのハードディスクやＲＯＭ（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【０１３４】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【０１３５】
プログラムの形態としては、クラウド等によるネット上のサーバからの利用もありえる。一部のプログラムのみをコンピュータに転送して利用する形態もありえる。
【０１３６】
また、上記実施形態の電気機器制御システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【０１３７】
１−１〜ｎ    電気機器
１０−１〜ｎ    リモコン
２    使用電力測定器
２１    制御部
２２    電力測定部
２３    通信部
３    電気機器制御装置
３１    制御部
３２    赤外線受信部
３３    赤外線送信部
３４    記憶部
３４１    制御信号記憶テーブル
３５    通信部
４    電力記憶装置
４１    制御部
４２    記憶部
４２１    電力情報記憶テーブル
４２２    利用者記憶テーブル
４２３    電力変位パターン記憶テーブル
５    通信端末
５１    制御部
５２    記憶部
５２１    制御内容記憶テーブル
５３    表示部
５４    入力部
５５    通信部
ＮＷ    ネットワーク
５２２    電力変位パターン記憶テーブル
５２３    制御内容・電力変位パターン記憶テーブル
３４２    電力変位パターン記憶テーブル
３４３    制御信号・電力変位パターン記憶テーブル
４２４    設定情報記憶テーブル
【図１】
2016140031.tif 000003
【図２】
2016140031.tif 000004
【図３】
2016140031.tif 000005
【図４】
2016140031.tif 000006
【図５】
2016140031.tif 000007
【図６】
2016140031.tif 000008
【図７】
2016140031.tif 000009
【図８】
2016140031.tif 000010
【図９】
2016140031.tif 000011
【図１０】
2016140031.tif 000012
【図１１】
2016140031.tif 000013
【図１２】
2016140031.tif 000014
【図１３】
2016140031.tif 000015
【図１４】
2016140031.tif 000016
【図１５】
2016140031.tif 000017
【図１６】
2016140031.tif 000018
【図１７】
2016140031.tif 000019
【図１８】
2016140031.tif 000020
【図１９】
2016140031.tif 000021
【図２０】
2016140031.tif 000022
【図２１】
2016140031.tif 000023
【図２２】
2016140031.tif 000024
【図２３】
2016140031.tif 000025
【図２４】
2016140031.tif 000026
【図２５】
2016140031.tif 000027
【図２６】
2016140031.tif 000028
【図２７】
2016140031.tif 000029
【図２８】
2016140031.tif 000030
【図２９】
2016140031.tif 000031
【図３０】
2016140031.tif 000032
【図３１】
2016140031.tif 000033
【図３２】
2016140031.tif 000034
【図３３】
2016140031.tif 000035